(57)【要約】【課題】タッチセンサパネル等のパネル体を適切な出荷状態に製造する際の製造効率を向上させる。【解決手段】セパレータ付き両面テープを用意する。このセパレータ付き両面テープは、貼付先となるパネル体の平面の周縁に沿って全周にわたる縁部周回形状の両面テープ部と、両面テープ部の一方の粘着面に貼付された軽剥離セパレータと、両面テープ部の他方の粘着面に貼付されたシート体を有する。シート体は、パネル体の平面を覆うことができる面状とされるとともに軽剥離セパレータより重剥離のセパレータとして機能する。製造方法は、このようなセパレータ付き両面テープから軽剥離セパレータを剥離する工程と、パネル体の平面の周縁に沿って、両面テープ部の一方の粘着面を貼付する工程とを備える。【選択図】図２
2018045555.tif 000002
【特許請求の範囲】
【請求項１】
貼付先となるパネル型部の平面の周縁に沿って全周にわたる縁部周回形状の両面テープ部と、該両面テープ部の一方の粘着面に貼付された軽剥離セパレータと、前記パネル型部の平面を覆うことができる面状とされるとともに前記軽剥離セパレータより重剥離のセパレータとして機能する、前記両面テープ部の他方の粘着面に貼付されたシート体とを有するセパレータ付き両面テープから、前記軽剥離セパレータを剥離する工程と、
前記パネル型部の平面の周縁に沿って、前記両面テープ部の前記一方の粘着面を貼付する工程と、が行われる
パネル体の製造方法。
【請求項２】
前記シート体に剥離用タブを取り付ける工程を有する
請求項１に記載のパネル体の製造方法。
【請求項３】
パネル型部と、
前記パネル型部の平面の周縁に沿って全周にわたって一方の粘着面が貼付された、縁部周回形状の両面テープ部と、
前記両面テープ部が貼付された前記パネル型部の平面を覆う状態で、前記両面テープ部の他方の粘着面に貼付された、前記両面テープ部のセパレータ機能と前記パネル型部の保護機能を兼ねるシート体と、を備えた
パネル体。
【請求項４】
前記シート体は透明又は半透明である
請求項１に記載のパネル体。
【発明の詳細な説明】
【技術分野】
【０００１】
本発明はパネル体の製造方法及び当該方法によって製造されるパネル体に関する。
【背景技術】
【０００２】
下記特許文献１にはタッチパネルと液晶パネル等の貼り合わせに用いる粘着フィルムとして、粘着層の両面の基材層を片方ずつ容易に剥離させることができる粘着フィルムに関する技術が開示されている。
【０００３】
例えばタッチセンサパネル等のパネル体を製造する一次製造会社と、パネル体を購入して例えばタッチセンサ付液晶表示装置その他を製造する二次製造会社を想定する。
一次製造会社は、両面テープを貼付した状態のパネル体を製造し、取引先の二次製造会社等に納品する。
二次製造会社では、納品されたパネル体を両面テープを用いて所定の装置に貼付固定し、完成品や中間製造品としての機器、装置、部品等を製造する。
【０００４】
ここで一次製造会社が製造する両面テープを貼付したパネル体として、図６Ａ、図６Ｂに示す構造を考える。図６Ａはパネル体の構造の分解斜視図、図６Ｂは断面図である。どちらも図示及び説明のための模式図である。
タッチセンサパネル１００の背面（タッチする面の反対の面）に、ロ字状の両面テープ９１を貼付する。なお両面テープ９１の表裏の粘着面はそれぞれセパレータがあらかじめ貼付されている。当然、両面テープ９１を貼付する際には、図示していない一方の面のセパレータを剥がしてからタッチセンサパネル１００に貼付することになる。
貼り付けられた両面テープ９１の他方の粘着面にはまだ剥がされていないセパレータ９２が貼付されている。
セパレータ９２の上面側には、タッチセンサパネル１００の背面全体を覆う保護フィルム９３が貼付される。保護フィルム９３はタッチセンサパネル１００の平面より一回り大きい平面サイズのものが用いられている。
なおセパレータにはピールタブ９２ａが、また保護フィルム９３にはピールタブ９３ａが、それぞれ取り付けられる。
例えば一次製造会社ではこのようなパネル体が製造され、二次製造会社に納品される。
【０００５】
二次製造会社では、まずピールタブ９３ａを手がかりにして保護フィルム９３を剥がす。
次にピールタブ９２ａを手がかりにしてセパレータ９２を剥がして両面テープ９１の粘着面を露出させる。
そしてタッチセンサパネル１００を両面テープ９１により他の機器の所定の箇所に貼付する。
【先行技術文献】
【特許文献】
【０００６】
【特許文献１】特開２０１４−４７３４５号公報
【発明の概要】
【発明が解決しようとする課題】
【０００７】
上記のようなパネル体の製造に関しては次のような問題が生じている。
まず一次製造会社側でのパネル体の製造に関して。タッチセンサパネル１００に対する両面テープ９１の貼り付け工程に手間がかかる。即ちロ字状（窓枠形状）とされた両面テープ９１は強度が弱く、自動機での貼り付けが困難である。そのため作業者が位置決め治具を用いて手作業で両面テープ９１をタッチセンサパネル１００の背面に貼り付けなければならず、非常に効率が悪い。
またこのため位置精度が不安定となっており製品品質も安定しない。
さらに両面テープ９１を貼付した後、保護フィルム９３を貼付する工程が必要であり、製造効率が低下している。
【０００８】
また二次製造会社側では、次の問題がある。
工程上、保護フィルム９３を剥がし、さらにセパレータ９２を剥がす必要がある。剥がす手間が２回かかることで工程効率が低下している。
またタッチセンサパネル１００の平面面積より一回り大きな保護フィルム９３を用いているため、保護フィルム９３の端部がタッチセンサパネル１００の縁部を回り込んで前面側に張り付いてしまうことが多い。このため保護フィルム９３の剥離が非常に面倒になっている。
【０００９】
そこで本発明は、これらの問題を解消できるパネル体の製造方法及びパネル体の構造を提案することを目的とする。
【課題を解決するための手段】
【００１０】
本発明に係るパネル体の製造方法は、貼付先となるパネル型部の平面の周縁に沿って全周にわたる縁部周回形状の両面テープ部と、該両面テープ部の一方の粘着面に貼付された軽剥離セパレータと、前記パネル型部の平面を覆うことができる面状とされるとともに前記軽剥離セパレータより重剥離のセパレータとして機能する、前記両面テープ部の他方の粘着面に貼付されたシート体とを有するセパレータ付き両面テープから、前記軽剥離セパレータを剥離する工程と、前記パネル型部の平面の周縁に沿って、前記両面テープ部の前記一方の粘着面を貼付する工程と、が行われる。
この場合、縁部周回形状の両面テープ部は、例えば方形のタッチセンサパネル等のパネル型部の平面の周縁に沿ったロ字状のものとなる。この例えばロ字状の両面テープ部の一方の粘着面は軽剥離セパレータが剥離されてからパネル型部の平面に貼付される。このようにパネル型部に貼付する際に、他方の粘着面に貼付されているシート体は、パネル型部の平面を覆うサイズで例えば長方形状のものとされているため、セパレータ付き両面テープは少なくともパネル型部の平面と略同サイズの面積の面形状を維持しており、取扱いが容易となる。
【００１１】
上記した製造方法においては、前記シート体に剥離用タブを取り付ける工程を有することが考えられる。
これにより製造されるパネル体のシート体は、剥離用タブを手がかりにして容易に剥離できるようになる。
【００１２】
本発明に係るパネル体は、パネル型部と、前記パネル型部の平面の周縁に沿って全周にわたって一方の粘着面が貼付された、縁部周回形状の両面テープ部と、前記両面テープ部が貼付された前記パネル型部の平面を覆う状態で、前記両面テープ部の他方の粘着面に貼付された、前記両面テープ部のセパレータ機能と前記パネル型部の保護機能を兼ねるシート体と、を備える。
即ちパネル型部の平面の周縁に沿った例えばロ字状等の縁部周回形状の両面テープ部を用いながら、パネル型部への両面テープ部の貼付が容易にできるパネル体である。シート体は、セパレータ兼保護フィルムとして機能するため、パネル体の出荷状態として適切である。
【００１３】
上記したパネル体においては、前記シート体は透明又は半透明であることが考えられる。
セパレータ兼保護フィルムとして機能するシート体を透明又は半透明とし、シート体側からパネル型部の平面が視認できるようにする。
【発明の効果】
【００１４】
本発明によれば、一次製造会社側では、ロ字状等の縁部周回形状の粘着面を有するセパレータ付両面テープは、強度の高いものとなり取扱いが容易になる。またシート体はセパレータ兼保護フィルムとして機能する。これらにより製造工程の簡略化、効率化が実現される。
また二次製造会社側では剥がす工程が簡略化される。従って二次製造会社でも工程効率が向上する。
【図面の簡単な説明】
【００１５】
【図１】本発明の実施の形態のセパレータ付き両面テープの説明図である。
【図２】実施の形態のパネル体の製造方法の説明図である。
【図３】実施の形態の製造工程の説明図である。
【図４】実施の形態のパネル体の貼付工程の説明図である。
【図５】実施の形態の貼付工程で用いる自動機の説明図である。
【図６】従来のパネル体の説明図である。
【発明を実施するための形態】
【００１６】
以下、本発明の実施の形態を説明する。実施の形態ではパネル型部としてのタッチセンサパネルに両面テープを貼付したパネル体１０とその製造方法を説明する。
まず図１は実施の形態のパネル体１０に用いられるセパレータ付き両面テープ１を示している。
図１Ａはセパレータ付き両面テープ１の分解斜視図、図１Ｂは平面図、図１Ｃはａ−ａ断面図である。なおこれらの図、及び後述する図２，図４，図５の各図は、説明上の模式図としており、図示の都合及び理解のしやすさを考慮して実際のサイズ（平面サイズ、厚みサイズ）からある程度デフォルメして示している。
【００１７】
図１Ａ、図１Ｂ、図１Ｃに示すセパレータ付き両面テープ１は、ロ字状の両面テープ部２がテープ本体とされている。両面テープ部２のロ字状の両面が粘着面である。
ロ字状の外縁サイズは、貼付先のパネル型部（後述するタッチセンサパネル１１）の平面サイズと略同一とされている。なおロ字状の外縁サイズはタッチセンサパネル１１の平面サイズより若干小さくされる場合もある。
いずれにしてもロ字状の両面テープ部２は、貼付先となるタッチセンサパネル１１の平面の周縁に沿って全周にわたる縁部周回形状となっている。
ロ字状（窓枠型）の枠部分の幅は特に規定されないが、タッチセンサパネル１１を他の部位に両面テープ部２により粘着固定する際に十分な固定強度がとれる幅に設定されている。
【００１８】
この両面テープ部２の一方の粘着面（図の下方側）には、軽剥離セパレータ４が貼付されている。この例では、軽剥離セパレータ４は、両面テープ部２の外縁サイズよりも広い平面サイズを有するものとしている。
例えば軽剥離セパレータ４は、全周にわたって両面テープ部２の外縁から５〜１０ｍｍ程度はみ出すような平面サイズとしている。これは軽剥離セパレータ４を、その縁部をつまんで両面テープ部２から剥がしやすくするためである。
なお軽剥離セパレータ４は、全周にわたって端部が両面テープ部２からはみ出すようにされていなくとも、一部のみがはみ出して、剥がす際の手がかりにできる形状とされていても良い。
【００１９】
両面テープ部２の他方の粘着面（図の上方側）には、重剥離セパレータ兼保護フィルム３が貼付されている。この例では、重剥離セパレータ兼保護フィルム３は、両面テープ部２の外縁サイズと略同一の平面サイズを有するものとしている。
軽剥離セパレータ４と重剥離セパレータ兼保護フィルム３はフィルム状であり、ロ字状の両面テープ部２の両面をフィルムで挟み込む状態になっている。
また少なくとも重剥離セパレータ兼保護フィルム３は透明フィルムである。但し半透明であってもよい。
【００２０】
軽剥離セパレータ４及び重剥離セパレータ兼保護フィルム３は、例えばＰＥＴ（Polyethylene terephthalate）フィルムが用いられる。
軽剥離セパレータ４及び重剥離セパレータ兼保護フィルム３の厚みは、例えば０．１ｍｍ程度とされる。
ＰＥＴフィルムにコーティングされる剥離コートの材質としてはシリコーンが用いられる。また非シリコーン系としてフッ素コートが採用される場合もある。
「軽剥離」「重剥離」は、剥離強度の程度を示していて、軽剥離は重剥離より剥離強度が低くなっている。この軽剥離／重剥離の違いは、剥離コートのシリコーン成分の配合による。シリコーン成分の配合量が多くなるほど軽剥離となる。
【００２１】
このようなセパレータ付き両面テープ１を用いたパネル体１０の製造工程を説明する。図２Ａ、図２Ｂ、図２Ｃはパネル体１０の製造過程の状態を模式的に示し、図３Ａはパネル体１０の製造工程を示している。
まず図２Ａは、図１で説明したセパレータ付き両面テープ１を示している。図３の工程Ｓ１として、このセパレータ付き両面テープ１から軽剥離セパレータ４の剥離を行う。
図２Ａのように軽剥離セパレータ４は、両面テープ部２のロ字状の外縁部から全周にわたってはみ出す平面サイズとされている。そのため作業者もしくは自動機は、軽剥離セパレータ４の端部を手がかりにして軽剥離セパレータ４を剥がしていくことが容易に可能である。
また軽剥離／重剥離が設定されていることで、重剥離セパレータ兼保護フィルム３を剥離させずに軽剥離セパレータ４を剥離することが容易になっている。
図２Ｂは軽剥離セパレータ４が剥離された状態のセパレータ付き両面テープ１を示している。
【００２２】
続いて図３Ａの工程Ｓ２として、セパレータ付き両面テープ１をパネル型部としてのタッチセンサパネル１１の平面に貼付する。
図４Ａに、セパレータ付き両面テープ１とタッチセンサパネル１１を示し、図４Ｂにはセパレータ付き両面テープ１をタッチセンサパネル１１に貼付した状態の断面構造を示している。
この例では、タッチセンサパネル１１の表面（タッチする面）には加飾カバーガラス１２が貼付されており、タッチセンサパネル１１と加飾カバーガラス１２で両面テープ貼付先のパネルが形成されているものとしている。
セパレータ付き両面テープ１は、軽剥離セパレータ４を剥がした粘着面を、タッチセンサパネル１１の背面Ｒ（タッチする面の反対の面）の周縁部に全周にわたって沿わす状態となるように貼り付ける。
【００２３】
ここで、セパレータ付き両面テープ１は、両面テープ部２はロ字状であるが、面状の重剥離セパレータ兼保護フィルム３が貼付されているため、ある程度の強度をもっている。このため、貼付工程は自動機により容易に可能となる。
なお上記のように重剥離セパレータ兼保護フィルム３は例えば０．１ｍｍ程度の厚さであることで、ロ字状の両面テープ部２を適切な強度で維持できる。工程上のハンドリングに必要な適切な強度を得るためには薄過ぎない方がよい。例えばＰＥＴフィルムの場合、厚みが０．０５ｍｍ以上が望ましい。
【００２４】
図５は貼付を行う自動機を模式的に示している。
吸着ステージ３０には、タッチセンサパネル１１（及び加飾カバーガラス１２）を吸着固定している。
固定されたタッチセンサパネル１１に対向して、セパレータ付き両面テープ１を吸着した吸着ステージ３１及びローラ３２が配置される。
ロ字状の両面テープ部２だけでなく平面状の重剥離セパレータ兼保護フィルム３が存在していることで、セパレータ付き両面テープ１は吸着ステージ３１によって容易に吸着される。さらに上記のように強度が得られるため、容易に位置決めされることができる。
なお、吸着ステージ３１は、吸着ステージ３０に比べて弱い吸着力でセパレータ付き両面テープ１を吸着保持している。
【００２５】
ローラ３２と吸着ステージ３１は、図示しない機構により一体的に矢印Ｐ方向に進行する。このときローラ３２は、吸着ステージ３１から位置決めされた状態で引き出されたセパレータ付き両面テープ１をタッチセンサパネル１１に押しつけながら矢印Ｐ方向に進行することになる。
このような自動機により、セパレータ付き両面テープ１を安定してタッチセンサパネル１０の平面に貼付することができる。
【００２６】
続いて図３Ａの工程Ｓ３として、ピールタブ５の接着を行う。
図２Ｃはセパレータ付き両面テープ１がタッチセンサパネル１０に貼付された後、さらにピールタブ５が接着された状態を示している。ピールタブ５は、重剥離セパレータ兼保護フィルム３の端部に接着される。
このピールタブ５は、後に重剥離セパレータ兼保護フィルム３を剥がすときの手がかりとするものであり、その機能のために適切な配置で取り付けられる。
【００２７】
なお、ピールタブ５の接着工程は、例えばセパレータ付き両面テープ１をタッチセンサパネル１０に貼付する前に行ってもよい。
また重剥離セパレータ兼保護フィルム３に、あらかじめ一体的にピールタブ５となる部分が形成されていてもよい。当然、その場合はピールタブ接着工程は不要である。
【００２８】
以上の工程で図２Ｃの状態のパネル体１０が製造される。
例えば一次製造会社において、図２Ｃのパネル体１０が製造され、二次製造会社に納品される。この際、重剥離セパレータ兼保護フィルム３によりタッチセンサパネル１１の両面テープ部２の貼付面側が確実に保護される状態となっている。
【００２９】
二次製造会社側の工程を図３Ｂに示す。
二次製造会社では、図３Ｂの工程Ｓ１０として、まず納品されたパネル体１０の検査が行われる。例えばタッチセンサパネル１１に両面テープ部２が適切に貼付されているか否かという検査や、その貼付面の汚れや傷などの検査が行われる。
【００３０】
続いて図３Ｂの工程Ｓ１１として、重剥離セパレータ兼保護フィルム３を剥離する。このときピールタブ５を手がかりにして重剥離セパレータ兼保護フィルム３を剥がしていく。図２Ｄに重剥離セパレータ兼保護フィルム３を剥離した状態のパネル体１０を示している。この状態で両面テープ部２に粘着面が露出する。
【００３１】
続いて図３Ｂの工程Ｓ１２として、パネル体１０を所定の機器に固定する。即ち両面テープ部２の粘着面を機器に押しつけて固定する。
以上によりパネル体１０の所定機器への取り付け工程が完了する。
【００３２】
以上、実施の形態として説明したパネル体１０の製造方法は、セパレータ付き両面テープ１から軽剥離セパレータ４を剥離する工程（Ｓ１）と、貼付先となるタッチセンサパネル１１（パネル型部）の平面の周縁に沿って両面テープ部２の一方の粘着面を貼付する工程（Ｓ２）とが行われる。両面テープ部２は貼付先となるタッチセンサパネル１１（パネル型部）の平面の周縁に沿って全周にわたる縁部周回形状とされている。また両面テープ部２の他方の粘着面に貼付されたシート体として重剥離セパレータ兼保護フィルム３を有する。重剥離セパレータ兼保護フィルム３はパネル型部の平面の全体（又は略全体）を覆うことができる面状とされるとともに軽剥離セパレータ４より重剥離のセパレータとして機能する。
【００３３】
この場合、両面テープ部２は、ロ字状であるが、重剥離セパレータ兼保護フィルム３はタッチセンサパネル１１の平面全体を覆うサイズで例えば長方形状のものとされているため、セパレータ付き両面テープ１は少なくともパネル型部の平面と略同サイズの面積の面形状を維持している。
これにより、セパレータ付き両面テープ１は、例えばロ字状のシートのように強度が弱くなく、安定した面形状で容易に取り扱うことができるため、作業性が向上する。従ってタッチセンサパネル１１（パネル型部）への貼付の際に、そのタッチセンサパネル１１の平面に対する位置決めや貼付工程が容易となり、また位置決め精度も安定する。
特にセパレータ付き両面テープ１の強度が増すことで自動機での貼り付け作業が可能となり、自動化に好適である。
またセパレータ付き両面テープ１は面形状を有することで、図５に示したような吸着機で位置決め状態で固定することも容易であり、吸着機を用いた自動機で高精度の貼り付け作業が可能となる。
さらに重剥離セパレータ兼保護フィルム３は、そのままタッチセンサパネル１１に対する保護フィルムとなるため、別途保護フィルムを貼付する工程は不要となり、製造工程の効率化を実現できる。もちろん別途保護フィルムは不要であるため、保護フィルムのためのコストを削減できる
【００３４】
また重剥離セパレータ兼保護フィルム３は、タッチセンサパネル１１の平面サイズと略同等のサイズとしている。これによりフィルム端部がタッチセンサパネル１１の縁部から前面側に回り込むこともなく、二次製造会社で容易に剥がすことができる。
従来、図６のように別体の保護フィルム９３を用いていた場合は、保護フィルム９３が確実にタッチセンサパネル１１の背面の全体を覆うように、一回り平面サイズが大きいものを使用しており、これによって保護フィルム９３の端部がタッチセンサパネル１１の前面側に回り込み、剥がしづらくなることが発生していた。
実施の形態では、元々両面テープ部２の粘着面に貼付されていた重剥離セパレータ兼保護フィルム３を用いており、しかも両面テープ部２が位置決めされてタッチセンサパネル１１の平面に貼付される。この状態でセパレータ兼保護フィルム３が確実にタッチセンサパネル１１の背面を保護している状態となる。つまり保護用に一回り大きなフィルムを用いることは不要であることで、上記のようにフィルム端部がタッチセンサパネル１１の前面に回り込むことが発生しなくなる。
【００３５】
実施の形態の製造方法においては、重剥離セパレータ兼保護フィルム３（シート体）にピールタブ５（剥離用タブ）を取り付ける工程を有する（Ｓ３）。
これにより製造されるパネル体１０の重剥離セパレータ兼保護フィルム３は、ピールタブ５を手がかりにして容易に剥離できるようになる。
従ってパネル体１０の購入者側（二次製造会社側）は、セパレータ兼保護フィルム３を剥離してタッチセンサパネル１１（パネル型部）を所定位置へ固着する作業が容易となる。
なお、前述したようにあらかじめピールタブ５に相当する部位が一体的にセパレータ兼保護フィルム３に形成されていてもよいが、その場合は、ピールタブ５の接着工程（Ｓ３）も不要となり、一次製造会社側でのパネル製造工程をより効率化できる。
【００３６】
実施の形態のパネル体１０は、タッチセンサパネル１１（パネル型部）と、タッチセンサパネル１１の平面の周縁に沿って全周にわたって一方の粘着面が貼付された、縁部周回形状の両面テープ部２と、両面テープ部２が貼付されたタッチセンサパネル１１の平面の全体（又は略全体）を覆う状態で両面テープ部２の他方の粘着面に貼付された重剥離セパレータ兼保護フィルム３（シート体）を備える。
このパネル体１０は、即ちパネル型部の平面の周縁に沿った例えばロ字状等の縁部周回形状の両面テープ部２を用いながら、容易に製造ができるものとなる。
シート体としての重剥離セパレータ兼保護フィルム３は、セパレータとしての機能と保護フィルムとしての機能を有するため、パネル体１０の出荷状態として適切である。
このパネル体１０の購入者側（二次製造会社側）は、単にセパレータ兼保護フィルム３を剥離することで、パネル体１０の所定位置への固着作業ができる（図３Ｂ参照）。従来は、保護フィルムを剥離し、さらにセパレータを剥離することが必要であったことに比較し、工程は非常に効率化される。
【００３７】
実施の形態のパネル体１０は、シート体である重剥離セパレータ兼保護フィルム３は透明又は半透明である。重剥離セパレータ兼保護フィルム３を透明又は半透明とすることで重剥離セパレータ兼保護フィルム３側からタッチセンサパネル１１の平面が視認できる。これにより購入者側（二次製造会社側）は、パネル体１０を納品された後、重剥離セパレータ兼保護フィルム３を剥離しない状態で、パネル体１０の視認チェックを行うことができる（図３ＢのＳ１０）。
【００３８】
以上、実施の形態について説明したが、上記例は一例である。
パネル体１０やそれに応じた両面テープ部２の形状は多様に考えられる。
例えば平面が三角形パネル、多角形パネル、円形パネル、楕円形パネル、不定形パネルなども想定され、両面テープ部２としては、それらの形状の周縁に沿って全周にわたる縁部周回形状とされることが想定される。
またパネル体１０としての具体的な製品もタッチセンサパネル以外に各種考えられる。例えば操作盤パネル、液晶パネル、蛍光表示管パネル、有機ＥＬ（Electroluminescence）表示パネル、その他の各種のパネル体が想定される。
【符号の説明】
【００３９】
１…セパレータ付き両面テープ、２…両面テープ部、３…重剥離セパレータ兼保護フィルム、４…軽剥離セパレータ、５…ピールタブ、１０…パネル体、１１…タッチセンサパネル、１２…加飾カバーガラス、
【図１】
2018045555.tif 000003
【図２】
2018045555.tif 000004
【図３】
2018045555.tif 000005
【図４】
2018045555.tif 000006
【図５】
2018045555.tif 000007
【図６】
2018045555.tif 000008